(57)【要約】【課題】地中アンカの耐張力を増加できるようにする。【解決手段】軸棒の先端側にその軸棒の長手方向に沿って所定の間隔を保って間欠的に螺旋状の掘削刃を一体的に設けて構成される地中アンカにおいて、前記螺旋状の掘削刃には、前記軸棒がその軸棒の軸心を中心にして一方向に回転されたときにその軸棒側に回動し、他方に回転したときにその軸棒側から離れる方向に回動する補助刃を設ける。【選択図】      図１
2006194034.tif 000002
【特許請求の範囲】
【請求項１】
軸棒の先端側にその軸棒の長手方向に沿って所定の間隔を保って間欠的に螺旋状の掘削刃を一体的に設けて構成される地中アンカにおいて、
前記螺旋状の掘削刃には、前記軸棒がその軸棒の軸心を中心にして一方向に回転されたときにその軸棒側に回動し、他方に回転したときにその軸棒側から離れる方向に回動する補助刃を設けたことを特徴とする地中アンカ。
【請求項２】
請求項１に記載の地中アンカにおいて、補助刃の設けられる螺旋状の掘削刃は、軸心の長手方向に沿って所定の間隔を保って間欠的に設けられる掘削刃のうち、直径の最も大きな掘削刃であることを特徴とする地中アンカ。
【請求項３】
請求項１又は２に記載の地中アンカにおいて、補助刃は、軸棒の軸心を中心にして等間隔に複数個設けられることを特徴とする地中アンカ。
【発明の詳細な説明】
【技術分野】
【０００１】
本発明は地中アンカに係り、特に、大きな耐張力を容易に得ることができるようにしたものに関する。
【背景技術】
【０００２】
本出願人は、配電線や電話線等の電柱、あるいは信号機のポール等の構造物（以下、電柱で説明する。）を支持するための支線を地中において支持するのに好適な地中アンカを提案している（特許文献１〜４参照。）。この地中アンカは、地中に埋設される鋳鉄製の軸棒（支持棒）の先端側にその軸棒の軸心方向に沿って間欠的に螺旋状の掘削刃を一体的に設けて構成されている。
【０００３】
すなわち、この提案に係る地中アンカＡ′は、図２に示されるように、鋳鉄製の軸棒（支持棒）１の先端側（図２においては下端側）にその軸棒１の長手方向に沿って所定の間隔を保って、かつ、先端側よりも上部ほど直径が大きくなる複数（図２においては４個）の螺旋状の掘削刃２ａ〜２ｄを一体的に設けて構成されている。そして、この軸棒１の先端側には、切込刃からなるドリル部３が設けられているとともに、この軸棒１の上端側（ドリル部３の設けられている側と反対側）にはつば部４が設けられ、そのつば部４の上部には軸棒１、すなわち、地中アンカＡ′を回転するための角柱部５が設けられている。また、この角柱部５の上部にはリング部６が設けられていて、このリング部６には、図示しない電柱を支持する支線を接続するための支線棒を取付けるための取付金具７が設けられている。
【０００４】
この地中アンカＡ′は、電柱を立設するときの穴掘建柱車の回転部、いわゆるオーガの先端部に筒状体からなる施工工具（図示せず）を取付けるとともに、その施工工具の先端部に設けられている角穴に地中アンカＡ′の角柱部５を嵌入して取付けて回転させ、地中アンカＡ′を地中の任意の深さに簡単に埋設できる特長を有している。
【特許文献１】特開２０００−１８５０号公報
【特許文献２】特開２００１−５９２２１号公報
【特許文献３】特開２００１−１８２０５８号公報
【特許文献４】特開２００１−２７１３４６号公報
【発明の開示】
【発明が解決しようとする課題】
【０００５】
上述のように、上記提案に係る地中アンカは、穴掘建柱車で極めて容易に埋設できるという特長を有しているが、地中アンカの耐張力、すなわち、地中に埋設された地中アンカをその地中から引き抜こうとする力に対抗する力は、軸棒に設けられている掘削刃の地中に対する抵抗に相当するので、軟弱地盤に地中アンカを埋設するときには、必然的に直径の大きな地中アンカを選択する必要があった。しかも、直径の大きな地中アンカは、その分だけ材料費がかさみコスト高になるとともに、質量が大きくなるので取扱いに不便を来たすおそれがあった。
【０００６】
そこで、本発明は、上記問題点を解決するためになされたものであって、その目的は、小型であっても所定の耐張力を得ることのできる地中アンカを提供することにある。
【課題を解決するための手段】
【０００７】
本発明に係る地中アンカは、上記目的を達成するために、請求項１に記載の発明は、軸棒の先端側にその軸棒の長手方向に沿って所定の間隔を保って間欠的に螺旋状の掘削刃を一体的に設けて構成される地中アンカにおいて、前記螺旋状の掘削刃には、前記軸棒がその軸棒の軸心を中心にして一方向に回転されたときにその軸棒側に回動し、他方に回転したときにその軸棒側から離れる方向に回動する補助刃を設けたことを特徴としている。
本発明の請求項２に記載の地中アンカにおいて、補助刃の設けられる螺旋状の掘削刃は、軸心の長手方向に沿って所定の間隔を保って間欠的に設けられる掘削刃のうち、直径の最も大きな掘削刃であることを特徴としている。
本発明の請求項３に記載の地中アンカにおいて、補助刃は、軸棒の軸心を中心にして等間隔に複数個設けられることを特徴としている。
【発明の効果】
【０００８】
本発明の請求項１に記載の地中アンカは、螺旋状の掘削刃に、軸棒がその軸棒の軸心を中心にして一方向に回転されたときにその軸棒側に回動し、他方に回転したときにその軸棒側から離れる方向に回動する補助刃を設けたので、地中アンカを地中に埋設後、地中アンカを埋設時と反対方向に回転させると補助刃が広がって地中に対する抵抗力が高まり、地中アンカの耐張力を高めることができる。
本発明の請求項２に記載の地中アンカにおいて、補助刃の設けられる螺旋状の掘削刃は、軸心の長手方向に沿って所定の間隔を保って間欠的に設けられる掘削刃のうち、直径の最も大きな掘削刃であるので、地中アンカの耐張力を効率よく高めることができる。
本発明の請求項３に記載の地中アンカにおいて、補助刃は、軸棒の軸心を中心にして等間隔に複数個設けられるので、地中アンカの耐張力を効率よく高めることができる。
【発明を実施するための最良の形態】
【０００９】
以下、本発明を実施するための最良の形態を図面に基づいて説明する。図１（ａ）は、本発明の一実施の形態に係る地中アンカＡの正面図である。なお、この地中アンカＡについては、上記図２に示された従来の地中アンカＡ′と同一構成要素については同一符号を用いて説明する。
【００１０】
この地中アンカＡは鋳鉄製からなり、その全体形状は棒状を呈している。すなわち、この地中アンカＡは、所定長さで、かつ、所定太さの軸棒１を有し、その軸棒１の地中に埋設される側（図１（ａ）では下端部側）の先端部側には、その軸棒１の軸心方向に沿って間欠的に複数個（図示の例では４個）の螺旋状の掘削刃２ａ〜２ｄが一体的に設けられている。これら螺旋状の掘削刃２ａ〜２ｄは、上方に行くほど、すなわち、掘削刃２ａよりも２ｂ、また、２ｂよりも２ｃの方が直径が大きくなるように構成されている。これら螺旋状の掘削刃２ａ〜２ｄの地中に進入する側及び外周は尖鋭に形成されている。なお、直径の最も大きな掘削刃２ｄは、上記図２に示される掘削刃２ｄと全体的な形状が異なっているが、これについては後述する。
【００１１】
地中アンカＡの先端部分（軸棒１の下端部分）は、周知のドリルと同様に、切込刃を有するドリル部３に形成されている。そして、地中アンカＡの先端部と反対側、すなわち、ドリル部３の設けられている側と反対側の上端側で、地中アンカＡが地中に埋設されたときの地表面側には、軸棒１の径よりも少し大きな径を有するつば部４が設けられているとともに、そのつば部４の上面には、四角柱からなる角柱部５が設けられていて、図示しない施工工具の角穴に嵌合できるように構成されている。また、図１（ａ）中、６は、角柱部５の上部から突出して設けられたリング部で、このリング部６には、Ｕ字状を呈し、そのＵ字状の開口側にねじ穴７ａを有する取付金具７が設けられている。
【００１２】
図１（ａ）中、１０ａ，１０ｂは、本発明の特徴的構成要素の補助刃であって、螺旋状の掘削刃２ａ〜２ｄのうち、直径の最も大きい掘削刃２ｄ、すなわち、最も上部に位置する掘削刃２ｄにそれぞれ設けられている。これら補助刃１０ａ，１０ｂの設けられる掘削刃２ｄは、図１（ａ）のＸ−Ｘ線断面図の図１（ｂ）に示されるように、掘削刃２ｄが地中に進入する進入部２ｄ′を除いて平面形状がほぼ長方形の取付部２ｄ″に形成されている。そして、補助刃１０ａ，１０ｂは、この取付部２ｄ″の軸棒１の中心位置を中心にした左右両側に支軸１１ａ，１１ｂを介して補助刃１０ａ，１０ｂがそれぞれ回動自在（回転自在）に設けられている。
【００１３】
上記各補助刃１０ａ，１０ｂは同一構成なので、補助刃１０ａを例にさらに説明すると、この補助刃１０ａは、平面形状が半月状（巴状）を呈し、その厚さは、掘削刃２ｄの最も厚い部分、すなわち掘削刃２ｄの軸棒１の付根部分の厚さにほぼ等しくなるようにされている。そして、その半月状の一端側（図１（ｂ）においては右側）において、支軸１１ａを介して掘削刃２ｄの取付部２ｄ″に回動自在に設けられている。この支軸１１ａは、取付部２ｄ″に設けられた穴及び補助刃１０ａに設けられた穴に挿入されるボルト・ナットにより構成することもできるが、地中アンカＡが地中に埋設するときの余分な抵抗とならないように、取付部２ｄ″の下面及び補助刃１０ａの上面から可能な限り突出しないように支軸１１ａの上下端がかしめ加工されている。またこの支軸１１ａをリベットとし、補助刃１０ａを掘削刃２ｄに回動自在に設けるようにしてもよい。そして、この支軸１１ａの太さは、地中アンカＡの耐張力に十分耐えるように決められている。
【００１４】
上記構成からなる一対の補助刃１０ａ，１０ｂが支軸１１ａ，１１ｂを中心にして軸棒１側に回動したときの平面形状は、図１（ｂ）に示されるように、掘削刃２ｄの本来の平面形状（上記図２に示される掘削刃２ｄの平面形状）にほぼ等しくなるように決められている。
【００１５】
次に、上記構成からなる地中アンカＡの埋設について説明する。地中アンカＡを地中に埋設するには、先ず、図示しない穴掘建柱車の回転部、つまり、オーガＯの先端部に筒状体からなる施工工具（この施工工具については、本出願人に係る特開２００１−２７１３４５号公報に施工工具１０として詳述されており、通常、この施工工具は、嵌入パイプと呼ばれている。）２０が取付けられる。また、地中アンカＡの取付金具７のねじ穴７ａには、支線を介して電柱を支持するための支線棒２１が取付けられる。
【００１６】
次いで、筒状体からなる施工工具２０の空間に支線棒２１が挿入され、その施工工具２０の先端側に設けられている角穴（図示せず）に地中アンカＡの角柱部５が嵌合される。そして、施工工具２０に設けられている貫通孔２２にボルト２３を挿入し、支線棒２１の先端に設けられているリング部２４に通すと、支線棒２１と施工工具２０とが連結状体に保たれる。
【００１７】
地中アンカＡのドリル部３を地面に付け、さらにオーガＯを押圧状態を保ちながら回転させると、地中アンカＡは、螺旋状の掘削刃２ａ〜２ｄの作用により地中に埋設される。この埋設時においては、軸棒１が図１（ｂ）に矢印ａで示されるように時計方向に回転されると、各補助刃１０ａ，１０ｂは、地中の抵抗により支軸１１ａ，１１ｂを中心にして矢印ｂ方向にそれぞれ回動し、掘削刃２ｄの形状に保たれる。
【００１８】
地中アンカＡが所定深さに埋設された後、オーガＯは１〜２回転、地中アンカＡの埋設時の回転方向と逆方向に、つまり、図１（ｃ）の矢印ａ′に示されるように、反時計方向に回転させられる。この逆回転により各補助刃１０ａ，１０ｂは、地中の抵抗により支軸１１ａ，１１ｂを中心にして矢印ｂ′方向にそれぞれ回動し、大きく広げられた状態となる（図１（ｃ）参照）。次いで、ボルト２３を施工工具２０から抜いてオーガＯを上方へ移動させると、施工工具２０は地中アンカＡから外れて、地中アンカＡ及び支線棒２１の下端部側は、地中に埋設された状態に保たれる。その後、地表面上に現れた支線棒２１には、図示しないワイヤが取付けられて電柱が支持される。
【００１９】
上述のように、地中アンカＡの補助刃１０ａ，１０ｂは、大きく広げられた状態で地中に保たれるので、直径の大きな掘削刃２ｄを有する地中アンカと同様の耐張力の大きな地中アンカとすることができる。
【００２０】
なお、上述の例では、補助刃を軸棒１の中心位置を中心にして１８０°の間隔を保って２本としたが、これを１２０°間隔の３本又は９０°間隔の４本等とすることもできる。さらに、補助刃は最も直径の大きい掘削刃２ｄに設けるようにしたが、この掘削刃２ｄよりも下方の、つまり、直径の小さい掘削刃２ｃ等に設けるようにしてもよい。しかし、上述のように最も大径の掘削刃２ｄに設けると、補助刃を容易に取付けることができる等の効果を得ることができる。また、最上段の掘削刃２ｄ及びその掘削刃２ｄの下方の掘削刃２ｃの両方のように複数の掘削刃に設けるようにしてもよい。この場合は、各掘削刃に設けられた補助刃が広げられたときに、上下方向で一致しないように配置してもよい。
【００２１】
本発明に係る地中アンカＡは、上述のように地中アンカＡを地中に埋設した後、その地中アンカＡを埋設時と逆方向に回転させると補助刃１０ａ，１０ｂが大きく広がるので、この性質を利用して地中内に大きな空間を形成する穴掘工具としても用いることができる。
【００２２】
すなわち、この地中アンカＡを用いて地中内に大きな空間を形成するには、補助刃１０ａ，１０ｂを広げた状態（図１（ｃ）参照）で軸棒１をその軸心方向に沿って上下動させることにより容易に行うことができる。そして、地中内に大きな空間が形成された後は、地中アンカＡを時計方向に回転させて補助刃１０ａ，１０ｂを図１（ｂ）のように縮小させ、その後、地中アンカＡは地上に引き上げられる。
【００２３】
地中に形成された大きな空間内には、砂利や礫等の骨材、セメント（セメントモルタルを含む）及び必要量の水が挿入され、補助刃１０ａ，１０ｂを有する地中アンカＡ又はこの補助刃１０ａ，１０ｂを有しない通常の地中アンカ（図２に示される地中アンカＡ′参照）で混合撹拌される。そして、養生後、地中アンカに支線が取付けられる。なお、地中に形成された空間には、骨材のみ挿入し、その骨材内に地中アンカＡ（又はＡ′）を圧入させるようにしてもよい。このように、地中に形成された大きな空間内に充填された骨材内に地中アンカが埋設されたときは、小型の地中アンカでも十分な耐張力を得ることができる。
【００２４】
上述のように、本発明に係る地中アンカＡは、地中内に大きな空間を形成する穴掘工具としても用いられるので、本発明で地中アンカというときは、穴掘工具も含んだ意味で用いられている。
【図面の簡単な説明】
【００２５】
【図１】（ａ）は、本発明の一実施の形態に係る地中アンカの正面図、（ｂ）は、（ａ）のＸ−Ｘ線断面図、（ｃ）は、地中アンカを逆回転させたときの（ａ）のＸ−Ｘ線断面図である。
【図２】従来の地中アンカの正面図である。
【符号の説明】
【００２６】
Ａ  地中アンカ（穴掘工具）
１  軸棒
２ａ〜２ｄ  螺旋状の掘削刃
２ｄ′  進入部
２ｄ″  取付部
３  ドリル部
４  つば部
５  角柱部
６  リング部
７  取付金具
１０ａ，１０ｂ  補助刃
１１ａ，１１ｂ  支軸
【図１】
2006194034.tif 000003
【図２】
2006194034.tif 000004